(57)【要約】      （修正有）【課題】大漁、漁場復興等の祈願対象とするイメージを付与する鳥居を提供する。【解決手段】基礎２に所定間隔で配した埋設部５ａ，５ｂそれぞれに独立して下部を埋設し立設した支柱７ａ，７ｂと、支柱７ａ，７ｂそれぞれの上部途中に梁状となって固定した貫１１と、支柱７ａ，７ｂそれぞれの上端に跨って梁状となって固定した笠木１４と、笠木１４の中央部と貫１１の中央部とに跨って取付けた祈願用額１７とを備え、笠木１４および貫１１を魚形状に形成する。貫１１は、頭部１１ａ、胴部１１ｂ、尾部１１ｃから成る魚形状の３分割彫りとして形成し、支柱７ａ，７ｂ相互間および各支柱７ａ，７ｂ外側それぞれに設置可能とする。笠木１４は、魚形状の一体彫りとして形成し、支柱７ａ，７ｂ上端に固定可能にする。【選択図】図１
0003183120.tif 000002
【実用新案登録請求の範囲】
【請求項１】
基礎に所定間隔で配した埋設部それぞれに独立して下部を埋設し立設された支柱と、支柱それぞれの上部途中に梁状となって固定される貫と、支柱それぞれの上端に跨って梁状となって固定される笠木と、笠木の中央部と貫の中央部とに跨って取付けられる祈願用額とを備えて成る祈願用鳥居であって、前記笠木および貫を魚形状に形成したことを特徴とする祈願用鳥居。
【請求項２】
支柱は、埋設部に軸芯を一致させて設置した袴石御影による一対の台石を介して立設されるものとした請求項１記載の祈願用鳥居。
【請求項３】
貫は、頭部、胴部、尾部から成る魚形状の３分割彫りとして形成し、支柱それぞれの上部途中に内外一対となって開口した横向きの嵌合穴に、頭部、胴部、尾部それぞれに突設した嵌合突起が嵌挿支持されて支柱相互間および各支柱外側それぞれに配されるものとした請求項１または２記載の祈願用鳥居。
【請求項４】
頭部、尾部は、その頭端、尾端から貫挿されたネジ部材によって支柱にネジ止め固定される請求項３に記載の祈願用鳥居。
【請求項５】
笠木は、魚形状として形成し、下部に開口した一対の嵌合穴と、支柱上端に突設した嵌合突起とを嵌合して固定されるものとした請求項１乃至３のいずれか記載の祈願用鳥居。
【請求項６】
支柱と笠木とは、支柱上端に配した台輪部材を介して支柱相互間に笠木を架け渡し、笠木上部から貫挿されたネジ部材によって支柱にネジ止め固定される請求項５記載の祈願用鳥居。
【請求項７】
基礎に所定間隔で配した埋設部それぞれに独立して下部を埋設し立設された支柱と、支柱それぞれの上部途中に梁状となって固定される貫と、支柱それぞれの上端に跨って梁状となって固定される笠木と、笠木の中央部と貫の中央部とに跨って取付けられる祈願用額とを備えて成る祈願用鳥居であって、前記笠木および貫を魚形状に形成し、前記支柱は、埋設部に軸芯を一致させて設置した袴石御影による一対の台石を介して立設されるものとし、前記貫は、頭部、胴部、尾部から成る魚形状の３分割彫りとして形成し、支柱それぞれの上部途中に内外一対となって開口した横向きの嵌合穴に、頭部、胴部、尾部それぞれに突設した嵌合突起が嵌挿支持されて支柱相互間および各支柱外側それぞれに配されると共に、頭部、尾部は、その頭端、尾端から貫挿されたネジ部材によって支柱にネジ止め固定されるものとし、前記笠木は、魚形状として形成し、下部に開口した一対の嵌合穴と、支柱上端に突設した嵌合突起とを台輪部材を介して嵌合すると共に、笠木上部から貫挿されたネジ部材によって支柱にネジ止め固定されるものとしたことを特徴とする祈願用鳥居。
【考案の詳細な説明】
【技術分野】
【０００１】
本考案は、例えば大漁祈願さらには漁場の復興・再生祈願等のために魚場近辺に建立されるた神社等の稲荷遙拝所等で設置される祈願用鳥居に関するものである。
【背景技術】
【０００２】
従来から、魚場近辺において大漁祈願として建立された神社、稲荷遙拝所には、神域との境界を示す趣旨で、左右の支柱と、その支柱の柱頭をつなぐ笠木と、左右支柱の上部途中間に渡す貫の三つの部材から構成された鳥居が設置されている。その形式は神明鳥居・鹿島鳥居・黒木鳥居・明神鳥居・両部鳥居・春日鳥居・八幡鳥居・山王鳥居・三輪鳥居等のいずれかによっているものが多い。
【０００３】
ただ、従来の鳥居は、松や杉等の木材や石材または鉄等で構成されているものが多く、また、大型で重量的にも嵩張ることから、設置現場への運搬・現場での組立設置等を容易にするために、鳥居を形成する支柱・貫・笠木の各素材を木材や石材または鉄等よりも軽量な合成樹脂製等に変更したものが提案されている。
【０００４】
例えば、特許文献１に開示されているように、鳥居を形成する土台袴、一対の支柱、貫および笠木を、塩化ビニール等の合成樹脂製で構成した鳥居の組立キットが提案されている。また、特許文献２に開示されているように、鳥居を形成する一対の支柱、貫および笠木が、芯材の周囲に防水シートを介して、自己表皮性を有する熱硬化性の樹脂発泡体を配して一体成形した樹脂製鳥居が提案されている。さらに、特許文献３に開示されているように、鳥居を形成する支柱、貫および笠木が、加工性に優れた塩化ビニル等の樹脂製管状体にて構成した簡易形小型鳥居およびその製造方法が提案されている。
【先行技術文献】
【特許文献】
【０００５】
【特許文献１】実用新案登録第３１６０１０９号
【特許文献２】実用新案登録第３０３３９９２号
【特許文献３】特開２００３−１５５８４３号公報
【考案の概要】
【考案が解決しようとする課題】
【０００６】
しかしながら、叙上のような従来における木材や石材または鉄等で構成されている鳥居、さらには特許文献１乃至３による合成樹脂等で構成されている鳥居は、貫および笠木が単純な梁形状を成す構造であって極めてシンプルなものであり、例えば漁場での大漁等を祈願する等の場合において、貫および笠木に対しその祈願対象とするイメージを付与するようなものは未だ存在していない。
【０００７】
そこで、本考案は叙上のような従来存した諸事情に鑑み創案されたもので、鳥居の貫および笠木に対し、例えば大漁、漁場の復興・再生等の祈願対象とするイメージを具体的に付与することで、稲荷遙拝所・神社での祈願の目的意識を向上可能にした祈願用鳥居を提供することを目的とする。
【課題を解決するための手段】
【０００８】
上述した課題を解決するために、本考案に係る祈願用鳥居１にあっては、基礎２に所定間隔で配した埋設部５ａ，５ｂそれぞれに独立して下部を埋設し立設された支柱７ａ，７ｂと、支柱７ａ，７ｂそれぞれの上部途中に梁状となって固定される貫１１と、支柱７ａ，７ｂそれぞれの上端に跨って梁状となって固定される笠木１４と、笠木１４の中央部と貫１１の中央部とに跨って取付けられる祈願用額１７とを備えて成る祈願用鳥居１であって、前記笠木１４および貫１１を魚形状に形成したことを特徴とする。
前記支柱７ａ，７ｂは、埋設部５ａ，５ｂに軸芯を一致させて設置した袴石御影による一対の台石６ａ，６ｂを介して立設されるものとすることができる。
前記貫１１は、頭部１１ａ、胴部１１ｂ、尾部１１ｃから成る魚形状の３分割彫りとして形成し、支柱７ａ，７ｂそれぞれの上部途中に内外一対となって開口した横向きの嵌合穴１３ａ，１３ｂ，１３ｃ，１３ｄに、頭部１１ａ、胴部１１ｂ、尾部１１ｃそれぞれに突設した嵌合突起１２ａ，１２ｂ，１２ｃ，１２ｄが嵌挿支持されて支柱７ａ，７ｂ相互間および各支柱７ａ，７ｂ外側それぞれに配されるものとすることができる。
頭部１１ａ、尾部１１ｃは、その頭端、尾端から貫挿されたネジ部材１８によって支柱７ａ，７ｂにネジ止め固定されるものとすることができる。
前記笠木１４は、魚形状として、例えばこれを一体彫りとして形成し、下部に開口した一対の嵌合穴１６ａ，１６ｂと、支柱７ａ，７ｂ上端に突設した嵌合突起１５ａ，１５ｂとを嵌合して固定されるものとすることができる。
支柱７ａ，７ｂと笠木１４とは、支柱７ａ，７ｂ上端に配した台輪部材１９を介して支柱７ａ，７ｂ相互間に笠木１４を架け渡し、笠木１４上部から貫挿されたネジ部材１８によって支柱７ａ，７ｂにネジ止め固定されるものとすることができる。
【０００９】
以上のように構成された本考案に係る祈願用鳥居１にあって、魚形状に形成した笠木１４および貫１１は、稲荷遙拝所での例えば大漁、漁場復興等の祈願の目的意識を向上させる。
袴石御影による一対の台石６ａ，６ｂは、支柱７ａ，７ｂの起立安定性を確保させると同時に、鳥居の神秘的存在感を向上させる。
頭部１１ａ、胴部１１ｂ、尾部１１ｃから成る魚形状の３分割彫りとして形成した貫１１は、立設された一対の支柱７ａ，７ｂの上部途中に対し、魚形状を成す貫１１のユニット的な組合わせを可能にさせ、頭部１１ａ、尾部１１ｃの支柱７ａ，７ｂに対するネジ止めは頭部１１ａ、尾部１１ｃを支柱７ａ，７ｂに強固に固定させる。
魚形状の一体彫りとして形成した笠木１４は、立設された一対の支柱７ａ，７ｂの上端に対し、魚形状を成す笠木１４の設置を可能にさせ、台輪部材１９を介しての笠木１４の支柱７ａ，７ｂに対するネジ止めは笠木１４を支柱７ａ，７ｂに強固に固定させる。
【考案の効果】
【００１０】
本考案によれば、鳥居の貫１１および笠木１４に対し、例えば大漁、漁場復興・再生等の祈願対象とするイメージを具体的、実際的に付与することで、稲荷遙拝所、神社での祈願の目的意識を向上可能にし、特に、震災時の津波被害によって崩壊した漁場の復興、再生の支援祈願としても有効性を発揮する。
【００１１】
すなわち、これは本考案が、基礎２に所定間隔で配した埋設部５ａ，５ｂそれぞれに独立して下部を埋設し立設された支柱７ａ，７ｂと、支柱７ａ，７ｂそれぞれの上部途中に梁状となって固定される貫１１と、支柱７ａ，７ｂそれぞれの上端に跨って梁状となって固定される笠木１４と、笠木１４の中央部と貫１１の中央部とに跨って取付けられる祈願用額１７とを備え、前記笠木１４および貫１１を魚形状に形成したからである。
【００１２】
支柱７ａ，７ｂは、埋設部５ａ，５ｂに軸芯を一致させて設置した袴石御影による一対の台石６ａ，６ｂを介して立設されるものとしたので、支柱７ａ，７ｂの起立安定性を確保させると同時に、鳥居の神秘的存在感を向上させることができる。
【００１３】
貫１１は、頭部１１ａ、胴部１１ｂ、尾部１１ｃから成る魚形状の３分割彫りとして形成し、支柱７ａ，７ｂそれぞれの上部途中に内外一対となって開口した横向きの嵌合穴１３ａ，１３ｂ，１３ｃ，１３ｄに、頭部１１ａ、胴部１１ｂ、尾部１１ｃそれぞれに突設した嵌合突起１２ａ，１２ｂ，１２ｃ，１２ｄが嵌挿支持されて支柱７ａ，７ｂ相互間および各支柱７ａ，７ｂ外側それぞれに配されるものとしたので、基礎２の埋設部５ａ，５ｂに下部を埋設し立設された一対の支柱７ａ，７ｂの上部途中に対し、魚の頭部１１ａ、胴部１１ｂ、尾部１１ｃそれぞれをユニット的に組合わせて設置でき、魚形状の貫１１を容易に形成することができる。
【００１４】
また、頭部１１ａ、尾部１１ｃは、その頭端、尾端から貫挿されたネジ部材１８によって支柱７ａ，７ｂにネジ止め固定されるものとしたので、支柱７ａ，７ｂの側外方に配される頭部１１ａ、尾部１１ｃが支柱７ａ，７ｂから離反されることはなく、支柱７ａ，７ｂに強固に固定できるものとなり、地震その他の外部からの衝撃によっても離脱、落下することがない。
【００１５】
笠木１４は、魚形状として形成し、下部に開口した一対の嵌合穴１６ａ，１６ｂと、支柱７ａ，７ｂ上端に突設した嵌合突起１５ａ，１５ｂとを嵌合して固定されるものとしたので、基礎２の埋設部５ａ，５ｂに下部を埋設し立設された一対の支柱７ａ，７ｂの上端に対し、魚形状の笠木１４を嵌合させて設置でき、魚形状の笠木１４を容易に形成することができる。
【００１６】
また、支柱７ａ，７ｂと笠木１４とは、支柱７ａ，７ｂ上端に配した台輪部材１９を介して支柱７ａ，７ｂ相互間に笠木１４を架け渡し、笠木１４上部から貫挿されたネジ部材１８によって支柱７ａ，７ｂにネジ止め固定されるものとしたので、笠木１４が支柱７ａ，７ｂ上で安定した状態で架け渡されたものとなり、地震その他の外部からの衝撃によっても支柱７ａ，７ｂ上から離脱、落下することがない。
【００１７】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１８】
【図１】本考案の実施の形態における鳥居の貫、笠木、祈願用額をユニット的に組合わせるときの一例を示す分解正面図である。
【図２】同じく鳥居の貫、笠木、祈願用額をユニット的に組合わせて設置したときの正面図である。
【図３】同じく設置したときの平断面図である。
【考案を実施するための形態】
【００１９】
以下、図面を参照して本考案の実施の形態を詳細に説明すると、図において示される符号１は、例えば大漁祈願、津波災害の復興・再生支援祈願等のために魚場近辺に建立された稲荷遙拝所、神社等で設置される祈願用鳥居である。この祈願用鳥居１は、図に示すように、設置場所である基礎２に所定間隔で配した埋設部５ａ，５ｂそれぞれに軸芯を一致させて設置した袴石御影による一対の台石６ａ，６ｂを介して独立して下部を埋設し立設された支柱７ａ，７ｂと、支柱７ａ，７ｂそれぞれの上部途中に梁状となって固定される頭部１１ａ、胴部１１ｂ、尾部１１ｃから成る魚形状の３分割彫りとして形成した貫１１と、支柱７ａ，７ｂそれぞれの上端に跨って梁状となって固定される魚形状として形成した笠木１４と、笠木１４の中央部と貫１１の中央部とに跨って縦向きに取付けられる祈願用額１７とで構成されている。
【００２０】
設置場所における基礎２は、図２、図３に示すように例えば平面視長方形で且つ正断面視コ字形となるよう、現場で構築される鉄筋コンクリートブロックによって形成されている。すなわち基礎２の構造は、両側にある横向き角柱状に形成された本基礎部分３ａ，３ｂを、中央の矩形平板状の補強基礎部分４によって一体状に強固に連結して成る。両側の本基礎部分３ａ，３ｂの埋設部５ａ，５ｂそれぞれに独立して各支柱７ａ，７ｂの下部を挿入し埋設されることで、一対の支柱７ａ，７ｂが基礎２上において所定間隔で立設されるものとしてある。
【００２１】
台石６ａ，６ｂは、埋設部５ａ，５ｂに軸芯を一致させて本基礎部分３ａ，３ｂ上に設置される例えば平面で環状に組み合わせられる半ドーナツ状の袴石御影によるもので（図３参照）、この台石６ａ，６ｂを支柱７ａ，７ｂの両側から突き当てるように配置することで、いわば外装状態となって配されるように当該支柱７ａ，７ｂよりも大径となっている。すなわち、あたかも支柱７ａ，７ｂがこの台石６ａ，６ｂに貫挿されているようにして埋設部５ａ，５ｂに挿入した支柱７ａ，７ｂの下部に配置される。
【００２２】
支柱７ａ，７ｂは、例えば長さ約２８００ｍｍ、直径約１８０ｍｍの円柱状の木材によって形成され、支柱７ａ，７ｂそれぞれの上部途中には、貫１１を横向きに組付けるための内外両側で一対となって開口した横向きの嵌合穴１３ａ，１３ｂ，１３ｃ，１３ｄが穿設され、また支柱７ａ，７ｂそれぞれの上端には、笠木１４を組付けるための嵌合突起１５ａ，１５ｂが突設されている。さらに支柱７ａ，７ｂの中間部周面には例えば魚類、甲殻類、蛸・烏賊等の海産軟体動物、その他の海洋生物等の絵柄模様８が施され、台石６ａ，６ｂ位置から直上の支柱７ａ，７ｂ周面には波型の彫刻模様９が施されている。
【００２３】
貫１１は、魚形状として例えば鰯等の形態を成し、頭部１１ａ、胴部１１ｂ、尾部１１ｃの３つの部分に切断することで３分割の木彫り物として形成されている。また頭部１１ａの切断後端面には嵌合突起１２ａが、胴部１１ｂの切断前後端面には嵌合突起１２ｂ，１２ｃが、尾部１１ｃの切断前端面には嵌合突起１２ｄが突設されており、支柱７ａ，７ｂそれぞれの上部途中に内外一対となって開口した横向きの嵌合穴１３ａ，１３ｂ，１３ｃ，１３ｄに、頭部１１ａ、胴部１１ｂ、尾部１１ｃそれぞれに突設した嵌合突起１２ａ，１２ｂ，１２ｃ，１２ｄが嵌挿され、例えば接着剤や楔・ビス等で固定される。こうすることで、一方の支柱７ａ，７ｂ外側に頭部１１ａ、支柱７ａ，７ｂ内側相互間に胴部１１ｂ、他方の支柱７ａ，７ｂ外側に尾部１１ｃがそれぞれ支柱７ａ，７ｂを介して梁状となって一体化され１匹の鰯となって配されるものとなっている。
【００２４】
また、この貫１１における頭部１１ａ、尾部１１ｃそれぞれは、頭部１１ａの頭端、尾部１１ｃの尾端それぞれから貫挿されたネジ部材１８によって支柱７ａ，７ｂにネジ止め固定されており、外部から衝撃・振動その他によって頭部１１ａ、尾部１１ｃが支柱７ａ，７ｂの側外方で離脱、落下しないようにされている。
【００２５】
笠木１４は、魚形状として例えば秋刀魚等の形態の一体木彫り物として形成されている。この笠木１４の下部には、前記支柱７ａ，７ｂの上端に突設した嵌合突起１５ａ，１５ｂに対応すべく一対の嵌合穴１６ａ，１６ｂが下向き開口状態となって開口されており、この嵌合穴１６ａ，１６ｂと支柱７ａ，７ｂ上端の嵌合突起１５ａ，１５ｂとを嵌合することで、笠木１４は支柱７ａ，７ｂ上端に架け渡し状となって固定されるようになっている。尚、この笠木１４は、場合によっては現場において組立てられる分別構造としても良い。
【００２６】
また、図例にあって、支柱７ａ，７ｂと笠木１４とは、支柱７ａ，７ｂ上端に配した台輪部材１９を介して支柱７ａ，７ｂ相互間に笠木１４を架け渡し、笠木１４上部から貫挿されたネジ部材１８によって支柱７ａ，７ｂにネジ止め固定されるようにしてある。台輪部材１９自体は、支柱７ａ，７ｂの上端に支柱７ａ，７ｂの外径に比しやや大径にした平面視円形状を呈し、支柱７ａ，７ｂにおける嵌合突起１５ａ，１５ｂはこの台輪部材１９の上面に形成されることもある。
【００２７】
尚、これらの貫１１、笠木１４は、外形が魚形状となっていれば良く、上述のように鰯、秋刀魚の形態に限らないのであり、場合によっては魚形態とせずに他の海洋生物の形態とすることができる。ただ、貫１１、笠木１４とすることを考慮すれば、流線形を呈する魚の形態とすることが望ましい。また、ネジ部材１８はステンレス製としてあり、先端の尖鋭部分が支柱７ａ，７ｂ内に食い込み状にネジ入れられ、各部材１１ａ，１１ｃ，１４の支柱７ａ，７ｂとの一体的連結が強くなるようにしてある。
【００２８】
祈願用額１７は、その背面板および前面縁部を木材で作成し、内部に挿入した板材に神社の名称、例えば「大漁稲荷」等の文字を記入したものである。祈願用額１７は、笠木１４の中央部と貫１１の中央部とに跨って取付けられ、例えば接着剤や楔・ビス等で固定される。
【００２９】
次に、以上のように構成された形態についての組立の一例について説明すると、図１に示すように、設置場所において、基礎２を鉄筋コンクリートブロック等によって構築形成するとき、両側の本基礎部分３の埋設部５ａ，５ｂに軸芯を一致させて台石６ａ，６ｂを設置し、この台石６ａ，６ｂを介して埋設部５ａ，５ｂ位置それぞれに独立して各支柱７ａ，７ｂの下部を挿入し、仮止めしておく。そして、コンクリート材の打設、養生凝固等によって一対の支柱７ａ，７ｂが基礎２上において所定間隔で立設した状態となる。
【００３０】
一方、支柱７ａ，７ｂそれぞれの上部途中における嵌合穴１３ａ，１３ｂ，１３ｃ，１３ｄに、鰯等の形態を成した貫１１の頭部１１ａ、胴部１１ｂ、尾部１１ｃそれぞれに突設した嵌合突起１２ａ，１２ｂ，１２ｃ，１２ｄを嵌挿し、例えば接着剤や楔・ビス等で固定する。この貫１１において、頭部１１ａ、尾部１１ｃは、その頭端、尾端から貫挿したネジ部材１８によって支柱７ａ，７ｂにネジ止め固定する。こうすることで、一方の支柱７ａ，７ｂ外側に頭部１１ａ、支柱７ａ，７ｂ内側相互間に胴部１１ｂ、他方の支柱７ａ，７ｂ外側に尾部１１ｃがそれぞれ支柱７ａ，７ｂを介して配され、１匹の鰯形態の貫１１が一対の支柱７ａ，７ｂの上部途中相互間に梁状に架け渡されるようにして配される。尚、支柱７ａ，７ｂの立設、支柱７ａ，７ｂ相互間での胴部１１ｂの架け渡しは、所定の手順によって行なわれる。
【００３１】
次いで、笠木１４下側の嵌合穴１６ａ，１６ｂを、支柱７ａ，７ｂ上部に配した台輪部材１９を介して上端の嵌合突起１５ａ，１５ｂに嵌合し、また笠木１４上部からネジ部材１８を笠木１４および台輪部材１９に貫挿し、支柱７ａ，７ｂ上部にネジ止めすることで、笠木１４を一対の支柱７ａ，７ｂ上端それぞれに架け渡すように固定する。こうすることで、１匹の秋刀魚形態による笠木１４が一対の支柱７ａ，７ｂ上端相互間に梁状に架け渡されるようにして配される。
【符号の説明】
【００３２】
１…祈願用鳥居                          ２…基礎
３ａ，３ｂ…本基礎部分                  ４…補強基礎部分
５ａ，５ｂ…埋設部                      ６ａ，６ｂ…台石
７ａ，７ｂ…支柱                        ８…絵柄模様
９…彫刻模様                            
１１…貫                                １１ａ…頭部
１１ｂ…胴部                            １１ｃ…尾部
１２ａ，１２ｂ，１２ｃ，１２ｄ…嵌合突起
１３ａ，１３ｂ，１３ｃ，１３ｄ…嵌合穴  １４…笠木
１５ａ，１５ｂ…嵌合突起                １６ａ，１６ｂ…嵌合穴
１７…祈願用額                          １８…ネジ部材
１９…台輪部材
【図１】
0003183120.tif 000003
【図２】
0003183120.tif 000004
【図３】
0003183120.tif 000005